(57)【特許請求の範囲】
【請求項１】
物品を支持する支持体と、支持体を所定の姿勢にして保持する三脚を備え、支持体が、下面側に三脚を連結した支持板と、上方に開放された容器を備えており、容器が、三脚を収容し得る容積を有し且つ支持板の上面側に底部が着脱可能であると共に、支持板の下面側に開口部が着脱可能であることを特徴とする物品支持装置。
【請求項２】
支持体と三脚の各脚が、いずれか一方に凹部を備えるとともに他方に球面部を備えており、凹部と球面部が、互いに嵌合した状態で所定の摩擦抵抗をもって球面接触することを特徴とする請求項１に記載の物品支持装置。
【請求項３】
支持される物品が携帯電話機であることを特徴とする請求項１又は２に記載の物品支持装置。
【発明の詳細な説明】
【０００１】
【発明の属する技術分野】
本発明は、物品支持装置に関し、とくに、商品の展示や小物類の支持に用いるのに好適な物品支持装置に関するものである。
【０００２】
【従来の技術】
近年、商品やサービスの宣伝・広告を省スペースで行うことができ、しかも商品等を目立たせ、消費者の購買意欲を喚起するためのものとして、いわゆるＰＯＰ製品が種々開発されている。これらのＰＯＰ製品において、例えば商品を展示するためのＰＯＰ用の物品支持装置としては、ボードに商品を貼り付けたりクリップで挟み付けたりするものがあった。
【０００３】
【発明が解決しようとする課題】
ところが、上記したような従来のＰＯＰ用の物品支持装置にあっては、ボードに固定手段を介して商品を取付けているので、固定手段がクリップ等の簡単なものであっても、消費者に対しては商品を簡単に手に取ることができないような印象を与える可能性がある。このため、商品のアピール性が充分であるとは言い難い面があり、ＰＯＰ用としての機能をより充実させることが望まれていた。
【０００４】
【発明の目的】
本発明は、上記従来の状況に鑑みて成されたもので、物品の付け外しがきわめて容易であり、商品の展示や小物類の支持に非常に好適な物品支持装置を提供することを目的としている。
【０００５】
【課題を解決するための手段】
本発明に係わる物品支持装置は、請求項１として、物品を支持する支持体と、支持体を所定の姿勢にして保持する三脚を備え、支持体が、下面側に三脚を連結した支持板と、上方に開放された容器を備えており、容器が、三脚を収容し得る容積を有し且つ支持板の上面側に底部が着脱可能であると共に、支持板の下面側に開口部が着脱可能である構成とし、請求項２として、支持体と三脚の各脚が、いずれか一方に凹部を備えるとともに他方に球面部を備えており、凹部と球面部が、互いに嵌合した状態で所定の摩擦抵抗をもって球面接触する構成とし、請求項３として、物品が携帯電話機（ＰＨＳを含む）である構成としており、上記構成をもって従来の課題を解決するための手段としている。
【０００６】
上記構成において、支持体および三脚には、プラスチックや金属等の各種材料を用いることができると共に、様々な色彩（透明を含む）や形状を採用することが可能である。また、三脚は、支持体を所定の姿勢にして保持することから、各脚の開度を調整可能にするのは勿論のこと、支持体に対して直接的に回動可能に設けたり、支持体に適宜の連結部材を介して間接的に回動可能に設けたりすることができる。
【０００８】
【発明の作用】
本発明の請求項１に係わる物品支持装置では、三脚で支持体を所定の姿勢に保持し、この支持体で物品を支持する。つまり、三脚および支持体により物品を任意の姿勢で支持し得るものとなる。
【０００９】
そして、上記の物品支持装置では、支持体が、下面側に三脚を連結した支持板と上方に開放された容器とで構成してあり、支持板の上面側に容器の底部を装着した状態で、容器に物品を収容することができ、その物品を任意の姿勢で支持する。また、支持体の上面側から容器の底部を外し、同支持体の下面側に容器の開口部を装着した状態では、容器内に三脚を収容する。
【００１１】
本発明の請求項２に係わる物品支持装置では、支持体に凹部（または球面部）を設けると共に、三脚の各脚に球面部（または凹部）を設け、凹部に球面部を嵌合することにより、支持体に各脚が取付けられて各脚で三脚を構成する。このとき、凹部と球面部は、互いに嵌合した状態で所定の摩擦抵抗をもって球面接触するので、支持体に対して各脚が回動可能になると共に、各脚の開度調整が可能となる。また、本発明の請求項３に係わる物品支持装置では、支持体と三脚により携帯電話機を所定の姿勢で支持する。
【００１２】
【発明の効果】
本発明の請求項１に係わる物品支持装置によれば、支持体および三脚を採用したことにより、物品の付け外しを簡単に行うことができると共に、物品を任意の姿勢で支持することができ、商品の展示や小物類の支持に非常に好適なものとなる。この物品支持装置は、ＰＯＰ用の展示台として用いた場合には、三脚という特徴的な構成により、商品等を立体的に目立つ状態で展示することができると共に、固定手段を必要としないので商品等を手に取って見ることもきわめて簡単であり、充分なアピール性をもたらすものとなる。さらに、ＰＯＰ用の展示台としてだけでなく、眼鏡、腕時計およびアクセサリーなどの小物類を置く支持台として使用することもでき、この場合にも、三脚により物品を立体的に支持しているので、小物類の所在が判り易く、紛失の防止にもなるなどの利点がある。
【００１５】
そして、上記の物品支持装置によれば、支持体が支持板と容器を備えているので、物品の支持機能をより高めることができ、例えば、携帯電話機や小型カメラ等の物品を展示や保管する際の支持台として非常に好適であり、これらの物品を立てた状態にして支持することができるほか、多数の細かい物品の収容にも好適なものとなる。また、とくに支持板の下面側に容器の開口部を装着した状態において、容器に三脚を収容してコンパクト化することができ、輸送や携帯の際にも便利である。
【００１７】
本発明の請求項２に係わる物品支持装置によれば、請求項１と同様の効果を得ることができるうえに、互いに嵌合する凹部と球面部によって支持体と三脚の各脚を連結することから、他の手段を用いることなく当該装置を簡単に組み立てることができると共に、低コスト化にも貢献することができ、簡単な構造でありながら三脚の開度調整や支持体の姿勢調整を行うことができる。
【００１８】
本発明の請求項３に係わる物品支持装置によれば、請求項１及び２と同様の効果を得ることができるうえに、携帯電話機を任意の姿勢で且つ目立つ状態に支持することができる。また、近年では、携帯電話機に各種の表示機能やデジタルカメラなどが設けられていることから、表示確認や撮影（とくに自分の撮影）などに非常に便利なものとなる。
【００１９】
【実施例】
図１および図２は、本発明に係わる物品支持装置の参考例を説明する図である。図１に示す物品支持装置Ａ１は、物品を支持する支持体１と、この支持体１を所定の姿勢にして保持する三脚２を備えている。
【００２０】
支持体１は、例えばプラスチック製であって、上方に開放された箱型を成しており、支持する物品として図中に仮想線で示す携帯電話機Ｔの下部を収容し得る大きさを有している。また、図２にも示すように、支持体１の底面には、直列に配置した３つの連結部３が一体的に設けてあり、各連結部３には、内側を球面とした凹部４が形成してある。なお、凹部４の開口径は、後記する球面部の直径よりもやや小さい。また、支持体１は、少なくとも竪の面を透明にして、収容した携帯電話機Ｔの下部が見えるようにすることも有効である。
【００２１】
三脚２は３本の脚５により構成される。各脚５は、例えばプラスチック製であって、丸棒状の本体部分の両端部に、径小部６，６を介して球面部７，７が一体的に設けてある。また、脚５は、下端側の球面部７に被膜状の滑り止め８を一体的に設けることにより、より安定した起立状態が得られるようにしてある。この滑り止め８には、例えばアクリル系熱可塑性エラストマーが用いられる。
【００２２】
上記の支持体１と各脚５は、凹部４に、滑り止め８を設けていない方の球面部７を嵌合するだけで、他の手段を用いずに簡単に組み立てることができる。このとき、凹部４と球面部７は、互いに嵌合した状態で不用意に外れることが無いと共に、所定の摩擦抵抗をもって球面接触している。したがって、摩擦抵抗を超える力を加えれば、支持体１に対して脚５を回動させることができると共に、その摩擦抵抗によって脚５を回動位置に保持することができる。これにより、三脚２の開度調整を行うことができると共に、その開度により支持体１の姿勢を変えることが可能である。
【００２３】
なお、支持体１の連結部３には、凹部４の一部を開放する状態で、脚５の径小部６の直径に対応した切欠９が形成してある。このとき、中央の連結部３の切欠９と両側の連結部３，３の切欠９，９の位置は互いに逆である。これにより、脚５は、凹部４に対して回動自在であるうえに、切欠９の位置でほぼ９０度に回動させることができ、これにより三脚２の開度をより大きくし得る。また、各切欠９の配置関係は図示の場合と逆であっても良い。
【００２４】
上記構成を備えた物品支持装置Ａ１は、物品である携帯電話機Ｔを立てた状態にして支持する。また、三脚２の開度調整をして支持体１を僅かに後方に倒すことにより、携帯電話機Ｔを傾斜状態に支持することができる。
【００２５】
このように、当該物品支持装置Ａ１は、三脚２という特徴的な構成を備えているので、例えばＰＯＰ製品として用いる場合には、商品である携帯電話機を立体的に目立つ状態で展示することができ、固定手段を必要としないので、携帯電話機Ｔを手に取って見ることもきわめて簡単であって、商品のアピール性に優れたものとなる。
【００２６】
また、当該物品支持装置Ａ１は、充電器以外の携帯電話機Ｔの保管場所にきわめて好適であって、三脚２による立体的な支持によってその所在が判り易く、紛失の防止にもなる。さらに、近年では、携帯電話機Ｔに各種の表示機能やデジタルカメラなどが設けられていることから、表示確認や撮影（とくに自分の撮影）にも非常に便利である。
【００２７】
なお、上記参考例の物品支持装置Ａ１は、当然のことながら支持する物品が携帯電話機以外のものであっても良く、単一の物品のほか、多数の細かい物品の展示や保管にも好適である。また、上記参考例では、支持体１の底部に三脚２を直接設けた場合を示したが、例えば、凹部と球面部とで連結する連結部材を介在させて、支持体１と三脚２の間における調整の自由度をより一層高めることが可能であり、また、同連結部材を用いて支持体の背面側に三脚を設けても良い。
【００２８】
図３および図４は、本発明に係わる物品支持装置の他の参考例を説明する図である。なお、先の参考例と同一の構成部位は、同一符号を付して詳細な説明を省略する。
【００２９】
図３に示す物品支持装置Ａ２において、支持体１１は、矩形の板状を成しており、その上面に、例えばアクリル系熱可塑性エラストマーから成るシート状の滑り止め１８が設けてある。この滑り止め１８は、支持体１１の材質等により応じて形成する方法を選択することができ、例えば、二重成形によって支持体１１とともに一体成形したり、別工程で成形したものを支持体１１に貼り付けたりする。さらに、支持体１１は、図４に示すように、その底面に設けた連結部３の凹部４に脚５の球面部７を嵌合して、三脚２と一体化される。
【００３０】
上記の物品支持装置Ａ２は、先の参考例と同様の効果を得ることができ、図中仮想線で示す携帯電話機Ｔのほか、眼鏡、腕時計あるいはアクセサリー等々の様々な物品を任意の姿勢で支持し得るものであり、支持体１１を傾斜状態にしても樹脂製の滑り止め１８によって物品を確実に支持することができる。
【００３１】
また、近年では、小型軽量化されたデジタルカメラが普及しており、このようなデジタルカメラの支持にも好適である。このとき、通常のカメラ用三脚では、ねじによりカメラを固定するが、当該物品支持装置では、水平にした支持体１１にデジタルカメラ置くだけで充分に支持することができ、滑り止め１８によりデジタルカメラの脱落を防止する。
【００３２】
図５（ａ）（ｂ）は、本発明に係わる物品支持装置のさらに他の参考例を説明する図である。図示の物品支持装置Ａ３における支持体２１は、円形の板状を成しており、その上面にシート状の滑り止め１８が設けてある。また、先の参考例では、支持体の底面に３つの連結部３を直列に配置しているのに対して、この参考例では、支持体２１の底部中央に、３つの連結部３を回転対称位置に設けている。さらに、三脚２を構成する各脚５の下端部には、滑り止めとして機能する樹脂製のキャップ２８が装着してある。
【００３３】
上記参考例の物品支持装置Ａ３にあっても、先の参考例と同様の効果を得ることができる。なお、図３および図５に示す各参考例では、板状の支持体１１，２１の底部中央に三脚２を設けた場合を示したが、支持体１１，２１の片側に寄せた位置に三脚２を設けることも可能である。この場合、例えば無端状のベルトを備えた腕時計の支持などに好適である。
【００３４】
図６（ａ）（ｂ）は、本発明に係わる物品支持装置のさらに他の参考例を説明する図である。図示の物品支持装置Ａ４における支持体３１は、長方形の板状を成しており、その上面にシート状の滑り止め１８が設けてある。また、支持体３１の底面には３つの連結部３が直列に配置されるが、この参考例では、各連結部３が支持体３１と別体であって、フランジ状に張り出した取付けプレート３Ａを有しており、この取付けプレート３Ａを支持体３１の裏面に貼り付ける。
【００３５】
上記参考例の物品支持装置Ａ４は、先の各参考例と同様の効果を得ることができるうえに、取付けプレート３Ａを有する連結部３を用いているので、各連結部３の間隔すなわち各脚５の上端部の間隔が広くなり、面積の大きい支持体３１に対応し得ると共に、三脚２による保持がより安定したものとなる。また、隣接する取付けプレート３Ａ同士の間隔を図示の状態よりも広げれば、より一層の安定性が得られることが明らかである。なお、支持体３１の面積がより大きいものであれば、各連結部３を図５で説明した参考例の如く回転対称配置などにすることも可能である。さらに、取付けプレート３Ａに相当する部分および連結部３を支持体３１に一体成形することも当然可能である。
【００３６】
図７および図８は、本発明に係わる物品支持装置のさらに他の参考例を説明する図である。図７に示す物品支持装置Ａ５は、円形板状の支持体４１の上面に、シート状の滑り止め１８を備えている。また、支持体４１の下面に設けた三脚２２は、アルミニウム等の軟質の金属線を樹脂チューブで被覆した脚５５により構成してある。各脚５０は、上端が、支持体４１の底面に設けた個々の連結部３３に夫々固定してあると共に、下端には、滑り止めとして機能する樹脂製のキャップ２８が装着してある。この場合、３つの連結部３３は先の各参考例のように適宜の位置に配置し得るが、図面には直列に配置したものを示している。
【００３７】
次に、図８に示す物品支持装置Ａ６は、円形板状の支持体４１の上面に、シート状の滑り止め１８を備えている。また、支持体４１の下面に設けた三脚２２は、図７に示す参考例と同様に、金属線を樹脂チューブで被覆した脚５５により構成してある。ここで、各脚５５は、上端が、支持体４１の底面に設けた１つの連結部３３にまとめて固定してあり、下端には、滑り止めとして機能する樹脂製のキャップ２８が装着してある。
【００３８】
上記の図７および図８に示す物品支持装置Ａ５，Ａ６は、先の各参考例と同様の効果を得ることができるうえに、三脚２２の各脚５５が、可撓性を有するものとなっていて自在に変形させることができ、例えばＰＯＰ用の展示台として用いた場合に、より興味深い外観体裁を有するものとなる。
【００３９】
図９（ａ）（ｂ）は、本発明に係わる物品支持装置のさらに他の参考例を説明する図である。図示の物品支持装置Ａ７は、矩形板状の支持体５１の上面に、シート状の滑り止め１８を備えていると共に、支持体５１の底面中央には、径小部１６を介して球面部１７が突出状に形成してあり、この球面部１７に連結部材４３を装着する。連結部材４３は、両端側に、球面状の内面を有する凹部４，４が形成してあり、一方の凹部４と支持体５１の球面部１７とを嵌合する。この状態で、凹部４と球面部１７は所定の摩擦抵抗をもって球面接触する。なお、図示は省略したが、連結部材４３には、先の参考例で説明した切欠（図１中の符号９）を設けることができる。
【００４０】
三脚３２は、概略十字形のジョイント５３と、上述した構成と同一の３つの連結部材４３と、３本の脚５で構成してある。ジョイント５３は、四方に向けて径小部１６と球面部１７を備えている。そして、３つの球面部１７に、夫々の連結部材４３を介して脚５を連結し、残る１つの球面部１７に、支持体５１に装着した連結部材４３を嵌合する。
【００４１】
上記の物品支持装置Ａ７は、先の各参考例と同様の効果を得ることができるうえに、連結部材４３やジョイント５３によって関節部分が増したものとなり、脚５の開度調整および支持体５１の姿勢調整において自由度がより一層高いものとなる。なお、上記参考例では、４個の球面部１７を二次元的に配置した十字形のジョイント５３を示したが、４個の球面部１７を三次元的に配置することも可能である。
【００４２】
図１０は、本発明に係わる物品支持装置の一実施例を説明する図である。図１０（ａ）に示す物品支持装置Ａ８は、支持体６１が、下面側に三脚２を連結した支持板６２と、上方に開放された容器６３を備えている。
【００４３】
この実施例の支持板６２は、楕円形を成し、図１０（ｂ）に示す下面側に、各脚５の連結部３が設けてあると共に、下面の周縁部に、下方に突出するフランジ部６２Ａが全周にわたって形成してある。このフランジ部６２Ａには、傾斜した各脚５が夫々係合する半円形の切欠６２Ｂが形成してあり、これにより三脚２の開度を規制して安定性をより高めるようにしてある。容器６３は、上記支持板６２に対応して水平断面が楕円形を成すと共に、三脚２を収容し得る容積を有している。
【００４４】
上記の物品支持装置Ａ８は、図１０（ｃ）に示すように、支持板６２の上面側に容器６３の底部を装着することで、容器６３に各種の物品を収容することができ、図１に基づいて説明した参考例のように携帯電話機を任意の姿勢に支持することもできる。なお、支持板６２に対する容器６３の底部の装着手段としては、例えば、支持板６２の周縁部に上向きのフランジを形成し、このフランジの内周面と容器６３の外周面に互いに係脱可能な凹凸を設けた構成や、いわゆるマジックテープ（登録商標）のようなファスナー類などを採用することができる。
【００４５】
また、上記の物品支持装置Ａ８は、支持板６２から容器６３の底部を外し、図１０（ｄ）に示すように、支持板６２の下面側におけるフランジ部６２Ａの内側又は外側に、容器６３の開口部を装着することにより、図１０（ｅ）に示す如く容器６３に三脚２が収容された状態となり、このようにコンパクト化することにより、輸送や携帯の際にも非常に便利なものとなる。
【００４６】
図１１は、本発明に係わる物品支持装置のさらに他の参考例を説明する図である。図１１（ａ）（ｂ）に示す物品支持装置Ａ９は、支持体７１が、下面側に三脚２を連結した支持板７２と、この支持板７２に回動可能に連結され且つ所定の回動位置に設定可能な第２の支持板７３を備えている。なお、この参考例の物品支持装置Ａ９は、両支持板７２，７３が三角形を成しており、主に携帯電話機用スタンドとして使用する。
【００４７】
支持板７２と第２の支持板７３は、樹脂により一体成形してあって、図１１（ｃ）に示すように、可撓性を有する薄肉部７４Ａにより互いの一辺同士が回動可能に連結してある。支持板７２の下面には、図１１（ｄ）に示すように、３つの角部に三脚２の脚５を夫々連結する連結部３が設けてある。第２の支持板７３は、中央に、開口部７４Ｂが形成してあると共に、頂部に、薄肉部７４Ｃを介して、先端側にくびれ部７４Ｄを有する支持脚７４Ｅが設けてあり、これに対して、支持板７２の頂部には、支持脚７４Ｅのくびれ部７４Ｄが係合する係合孔７４Ｆが形成してある。
【００４８】
上記の物品支持装置Ａ９は、図１１（ａ）（ｂ）に示す如く、支持脚７４Ｅのくびれ部７４Ｄを係合孔７４Ｆに係合することで、支持板７２に対して第２の支持板７３が所定の回動位置で設定維持され、支持板７２に載置した携帯電話機Ｔを第２の支持板７３の開口部７４Ｂの内側に立てた状態にして保持する。また、先の各参考例及び実施例と同様に、連結部３に対して夫々の脚５を回動させることで三脚２の開度を変えることができ、これにより、保持した携帯電話機Ｔの姿勢を調整することができる。
【００４９】
さらに、当該物品支持装置Ａ９は、不使用時には、支持板７２、第２の支持板７３及び支持脚７４Ｅを重合する一方で、図１１（ｄ）に示す如く各脚５を切欠部９側に倒すことで各脚５が支持板７２の下面に添った状態となり、図１１（ｅ）にも示すように全体がコンパクトに折り畳まれる。
【００５０】
図１２は、本発明に係わる物品支持装置のさらに他の参考例を説明する図である。図示の物品支持装置Ａ１０は、支持体８１が、下面側に三脚２を連結した支持板８２と、この支持板８２に回動可能に連結され且つ所定の回動位置に設定可能な第２の支持板８３を備えている。なお、この参考例の物品支持装置Ａ１０は、両支持板８２，８３が楕円形を成しており、携帯電話機や小型カメラのスタンドに使用することができる。
【００５１】
支持板８２は、物品の底部を保持し得るように、薄い容器状を成していて、短径方向の片側に、ヒンジ８４を介して第２の支持板８３が回動可能に連結してある。このとき、ヒンジ８４は、その回動部分が適当な摩擦抵抗をもって接触しており、第２の支持板８３を任意の回動位置に設定することができる。第２の支持板８３は、支持板８２に対向する面に、物品の両側面を保持する一対の保持片８５，８５と鏡８６が設けてある。
【００５２】
上記の物品支持装置Ａ１０は、図１２（ａ）に示すように、支持板８２に第２の支持板８３を重ねた状態にし、さらに三脚２を畳むことでコンパクト化することができ、また、図１２（ｂ）に示すように、第２の支持板８３を適当な回動位置に設定することにより、支持板８２と第２の支持板８３とで物品の底部と背面を保持し、三脚２の回動調整も合わせて物品を任意の姿勢に支持することができる。また、第２の支持板８３に鏡８６が設けてあるので、物品がカメラ付携帯電話機や小型カメラである場合、撮影時に身だしなみを整えるのに便利である。
【００５３】
なお、本発明に係わる物品支持装置は、詳細な構成が上記実施例のみに限定されることは無く、例えば、支持体、三脚およびキャップを含む滑り止めの材質、形状、部品構成及び配置等を適宜選択することが可能であり、このほか、支持体と三脚に設ける凹部と球面部の配置関係を上記各参考例及び実施例と逆の関係にしたり、各参考例及び実施例の構成を部分的に組合わせたりすることができる。さらに、凹部の内面および球面部の少なくとも一方に軟質の樹脂被膜を設けることにより、双方間の摩擦抵抗を高めるようにすることも有効である。
【図面の簡単な説明】
【図１】  本発明に係わる物品支持装置の参考例を説明する斜視図である。
【図２】  図１に示す物品支持装置の支持体と脚の連結要領を説明する斜視図である。
【図３】  本発明に係わる物品支持装置の他の参考例を説明する斜視図（ａ）および側面図（ｂ）である。
【図４】  図３に示す物品支持装置の支持体と脚の連結要領を説明する斜視図である。
【図５】  本発明に係わる物品支持装置のさらに他の参考例を説明する側面図（ａ）および支持体と脚の連結要領を説明する斜視図（ｂ）である。
【図６】  本発明に係わる物品支持装置のさらに他の参考例を説明する正面図（ａ）および支持体と脚の連結要領を説明する斜視図（ｂ）である。
【図７】  本発明に係わる物品支持装置のさらに他の参考例を説明する斜視図である。
【図８】  本発明に係わる物品支持装置のさらに他の参考例を説明する斜視図である。
【図９】  本発明に係わる物品支持装置のさらに他の参考例を説明する側面図（ａ）および支持体と脚の連結要領を説明する平面分解図（ｂ）である。
【図１０】  本発明に係わる物品支持装置の一実施例を説明する斜視図（ａ）、支持板の底面図（ｂ）、支持板に容器底部を装着する状態を示す斜視図（ｃ）、支持板に容器開口部を装着する状態を示す斜視図（ｄ）、および容器に三脚を収容した状態を示す斜視図（ｅ）である。
【図１１】  本発明に係わる物品支持装置のさらに他の参考例を説明する斜視図（ａ）、側面図（ｂ）、展開図（ｃ）、三脚を畳んだ状態の底面図（ｄ）、および折り畳み状態を示す側面図（ｅ）である。
【図１２】  本発明に係わる物品支持装置のさらに他の参考例を説明する斜視図（ａ）および第２の支持体を所定の回動位置に設定した状態を示す斜視図（ｂ）である。
【図１】
0003694289.tif 000002
【図２】
0003694289.tif 000003
【図３】
0003694289.tif 000004
【図４】
0003694289.tif 000005
【図５】
0003694289.tif 000006
【図６】
0003694289.tif 000007
【図７】
0003694289.tif 000008
【図８】
0003694289.tif 000009
【図９】
0003694289.tif 000010
【図１０】
0003694289.tif 000011
【図１１】
0003694289.tif 000012
【図１２】
0003694289.tif 000013